(57)【特許請求の範囲】
【請求項１】
第１の通信部と、前記第１の通信部を制御する第１の制御部を空気調和機の室内機に設け、第２の通信部と、前記第２の通信部を制御する第２の制御部と、前記第２の通信部で受信した情報を表示する表示部とをリモコンに設け、前記第１の通信部と前記第２の通信部により前記室内機と前記リモコンが双方向通信を行うよう構成されている通信システムにおいて、前記第１の通信部または前記第２の通信部が信号受信中であるときには、受信中の通信部を有する前記室内機または前記リモコンの側から信号を送信しないよう構成し、リモコンが室内機からの信号を受信中には、リモコン上に配設された操作キーを入力受け付け不可能とすることを特徴とする空気調和機の通信システム。
【請求項２】
リモコンに信号受信完了判定手段を設け、前記信号受信完了判定手段の信号により通信部からの信号送信を許可するように構成したことを特徴とする請求項１に記載の空気調和機の通信システム。
【発明の詳細な説明】
【０００１】
【発明の属する技術分野】
本発明は、リモコンを使用して動作する機器（例えば空気調和機）に関するものである。
【０００２】
【従来の技術】
従来の空気調和機の通信システムで空気調和機の情報を表示する場合、室内機側から空気調和機の情報データを送信し、リモコン側でそのデータを受信していた。
【０００３】
【発明が解決しようとする課題】
しかしながら、このような従来の空気調和機の通信システムではリモコンが室内機からの信号を受信中にリモコンから信号を送信すれば、室内機から送信される信号とぶつかり、それぞれの信号が破壊されてしまうという課題を有していた。
【０００４】
【課題を解決するための手段】
上記課題を解決するために本発明では、リモコンが室内機からの信号を受信中はリモコンから信号を送信しない。これにより室内機から送信される信号とリモコンから送信する信号がぶつかり、それぞれの信号が破壊されてしまうという不具合を防止することができる。
【０００５】
また、リモコンが室内機からの信号を受信中にリモコンのキー操作受け付け不可能にすることにより、リモコン側の受信機が室内機からの信号受信中に使用者が空気調和機の設定を変更するためにリモコンの設定を変更しようとした場合、リモコンの設定のみが変更されることが無いのでリモコンの設定と室内機の設定が食い違い、使用者が故障と誤解することを防止することができる。
【０００６】
また、室内機からの信号を受信完了した後、リモコンからの信号送信を許可することにより、リモコン側の受信機が室内機からの信号受信中に使用者が空気調和機の設定を変更するためにリモコンの設定を変更しようとした場合、室内機からの信号を受信完了後にリモコンから設定変更の信号を室内機に送信し空気調和機の設定が変更できるため、使用者が設定変更しようとしても変更できないという違和感を取り除き、リモコン使用上の快適性を損なうことを防止することができる。
【０００７】
【発明の実施の形態】
以下、本発明にかかる空気調和機の通信システムの実施の形態について図面を参照しながら説明する。
（実施の形態１）
図１は空気調和機の室内機とリモコンの構成図である。
【０００８】
図１に示すように、空気調和機の室内機は通信部１と制御部２で、リモコンは通信部３、制御部４と操作部５で構成されている。
【０００９】
上記構成による実施の形態１における空気調和機の通信システムの動作を説明する。通信部１、３と通信部を制御する制御部２、４を空気調和機の室内機Ａ及びリモコンＢにそれぞれ設け、室内機ＡとリモコンＢが双方向通信を行うシステムにおいて、室内機Ａの通信部１から送信される信号をリモコンＢの通信部３で受信中はリモコン操作部５の操作があっても制御部４で信号受信中と判断し、リモコンＢの通信部３から信号を送信しない。
【００１０】
これにより、室内機から送信される信号とリモコンから送信する信号がぶつかり、それぞれの信号が破壊されてしまうという不具合を防止できる。
（実施の形態２）
実施の形態１と同様、図１の構成図を用いて実施の形態２における空気調和機の通信システムの動作を説明する。
【００１１】
通信部１、３と通信部を制御する制御部２、４を空気調和機の室内機Ａ及びリモコンＢにそれぞれ設け、室内機ＡとリモコンＢが双方向通信を行うシステムにおいて、室内機Ａの通信部１から送信される信号をリモコンＢの通信部３で受信中はリモコン操作部５の操作があっても制御部４で信号受信中と判断し、リモコン操作を受け付けない。
【００１２】
これにより、リモコン側の受信機が室内機からの信号受信中に使用者が空気調和機の設定を変更するためにリモコンの設定を変更しようとした場合、リモコンの設定のみが変更されることが無いのでリモコンの設定と室内機の設定が食い違い、使用者が故障と誤解することを防止することができる。
（実施の形態３）
図２は空気調和機の室内機とリモコンの構成図である。
【００１３】
図２に示すように、空気調和機の室内機は通信部１と制御部２で、リモコンは通信部３、制御部４、操作部５と受信完了判定手段６で構成されている。
【００１４】
上記構成による実施の形態３における空気調和機の通信システムの動作を説明する。
【００１５】
通信部１、３と通信部を制御する制御部２、４を空気調和機の室内機Ａ及びリモコンＢにそれぞれ設け、室内機ＡとリモコンＢが双方向通信を行うシステムにおいて、室内機Ａの通信部１から送信される信号をリモコンＢの通信部３で受信し、受信完了判定手段６で受信完了を判定したら、制御部４でリモコンＢからの信号送信を許可し、通信部３からリモコン信号を送信する。
【００１６】
これにより、リモコン側の受信機が室内機からの信号受信中に使用者が空気調和機の設定を変更するためにリモコンの設定を変更しようとした場合、室内機からの信号を受信完了後にリモコンから設定変更の信号を室内機に送信し空気調和機の設定が変更できるため、使用者が設定変更しようとしても変更できない違和感を取り除き、リモコン使用上の快適性を損なうことを防止することができる。
【００１７】
【発明の効果】
以上のように、本発明を適用した空気調和機の通信システムにおいて、リモコンが室内機からの信号を受信中はリモコンから信号を送信しない。これにより室内機から送信される信号とリモコンから送信する信号がぶつかり、それぞれの信号が破壊されてしまうという不具合を防止することができる。
【００１８】
また、リモコンが室内機からの信号を受信中はリモコンのキー操作受け付け不可能にすることにより、リモコン側の受信機が室内機からの信号受信中に使用者が空気調和機の設定を変更するためにリモコンの設定を変更しようとした場合、リモコンの設定のみが変更されることが無いのでリモコンの設定と室内機の設定が食い違い、使用者が故障と誤解するのを防止することができる。
【００１９】
また、室内機からの信号を受信完了した後、リモコンからの信号送信を許可することにより、リモコン側の受信機が室内機からの信号受信中に使用者が空気調和機の設定を変更するためにリモコンの設定を変更しようとした場合、室内機からの信号を受信完了後にリモコンから設定変更の信号を室内機に送信し空気調和機の設定が変更できるため、使用者が設定変更しようとしても変更できない違和感を取り除き、リモコン使用上の快適性を損なうことを防止することができる。
【図面の簡単な説明】
【図１】本発明の一実施の形態における空気調和機の室内機とリモコンの通信要素模式図
【図２】本発明の他の実施の形態における空気調和機の室内機とリモコンの通信要素模式図
【符号の説明】
Ａ  室内機
Ｂ  リモコン
１  通信部
２  制御部
３  通信部
４  制御部
５  操作部
６  受信完了判定手段
【図１】
0003835150.tif 000002
【図２】
0003835150.tif 000003